(57)【要約】【課題】容器内の液体を吐出する際に液温の低下をなくし、同時に補給された液体の加熱が効果的に行なえるようにした電気湯沸かし器を提供することを目的とする。【解決手段】液体２２を収容する容器２４と、液体２２を加熱する加熱手段２５と、容器２４に補給する液体を貯溜する貯溜タンク２３と、容器２４に設けた給液口２４ｃと貯溜タンク２３とを連通する給液路２７と、容器２４の受液口２４ｂに接続されて液体を吐出口３０に導く導出路３１と、容器２４内を給液口２４ｃ側と受液口２４ｂ側とに分割する仕切り板２４ｃとを備えたものである。これにより、容器２４内が分割されているため、容器内の液体２２を吐出する際に、貯液タンク２３から容器２４へ補給された液体が混合されず液温の低下がなく、同時に補給された液体は容器の給液口２４ｃ側で効果的に加熱できる。【選択図】図１
2007289554.tif 000002
【特許請求の範囲】
【請求項１】
本体内に設けられ液体を収容する容器と、前記容器内の液体を加熱する加熱手段と、前記容器に補給する液体を貯溜する貯溜タンクと、前記容器の底部に設けた給液口と貯溜タンクとを連通する給液路と、前記容器の底部で給液口と離れた位置に設けた受液口に接続されて液体を吐出口に導く導出路と、前記容器内を前記給液口側と受液口側とに分割する仕切り板とを備えた電気湯沸かし器。
【請求項２】
仕切り板は、加熱手段が給液口側に含まれるよう容器内を分割した請求項１に記載の電気湯沸かし器。
【請求項３】
仕切り板の上端は、容器内に収容する液体の満液位よりも低い位置に設けた請求項１または２に記載の電気湯沸かし器。
【発明の詳細な説明】
【技術分野】
【０００１】
本発明は、本体内の容器へ液体を補給する貯液タンクを備えた電気湯沸かし器に関するものである。
【背景技術】
【０００２】
従来、この種の電気湯沸かし器としては、例えば、容器とは別に貯液タンクを備え、容器内の湯が所定量まで減少したとき、それを検知し、貯液タンクの液体をポンプで汲み上げて、容器と貯液タンクとを連結する給液路を介して液体を容器に自動的に補給するものがあった（例えば、特許文献１参照）。
【特許文献１】特開２００６−７５３１７号公報
【発明の開示】
【発明が解決しようとする課題】
【０００３】
しかしながら、前記従来の構成では、容器内の液体（湯）を吐出する（取り出す）際に、貯液タンクから容器へ補給された液体が混合されて液温が低下したり、補給された液体の加熱が効果的に行われなかったりするという課題を有していた。
【０００４】
本発明は、前記従来の課題を解決するもので、容器内の液体を吐出する際に、貯液タンクから容器へ補給された液体が混合されないようにして液温の低下をなくし、同時に補給された液体の加熱が効果的に行なえるようにした電気湯沸かし器を提供することを目的とする。
【課題を解決するための手段】
【０００５】
前記従来の課題を解決するために、本発明の電気湯沸かし器は、本体内に設けられ液体を収容する容器と、前記容器内の液体を加熱する加熱手段と、前記容器に補給する液体を貯溜する貯溜タンクと、前記容器の底部に設けた給液口と貯溜タンクとを連通する給液路と、前記容器の底部で給液口と離れた位置に設けた受液口に接続されて液体を吐出口に導く導出路と、前記容器内を前記給液口側と受液口側とに分割する仕切り板とを備えたものである。
【０００６】
これにより、容器内が給液口側と受液口側とに分割されているため、容器内の液体を吐出する際に、貯液タンクから容器へ補給された液体が混合されず液温の低下がなく、同時に補給された液体は容器の給液口側で効果的に加熱できる。
【発明の効果】
【０００７】
本発明の電気湯沸かし器は、容器内の液体を吐出する際に、貯液タンクから容器へ補給された液体が混合されず液温の低下がなく、同時に補給された液体は容器の給液口側で効果的に加熱できる。
【発明を実施するための最良の形態】
【０００８】
第１の発明は、本体内に設けられ液体を収容する容器と、前記容器内の液体を加熱する加熱手段と、前記容器に補給する液体を貯溜する貯溜タンクと、前記容器の底部に設けた給液口と貯溜タンクとを連通する給液路と、前記容器の底部で給液口と離れた位置に設けた受液口に接続されて液体を吐出口に導く導出路と、前記容器内を前記給液口側と受液口側とに分割する仕切り板とを備えた電気湯沸かし器とすることにより、容器内が給液口側と受液口側とに分割されているため、容器内の液体を吐出する際に、貯液タンクから容器へ補給された液体が混合されず液温の低下がなく、同時に補給された液体は容器の給液口側で効果的に加熱できる。
【０００９】
第２の発明は、特に、第１の発明において、仕切り板は、加熱手段が給液口側に含まれるよう容器内を分割したことにより、給液口側の液体を集中して効果的に加熱し液温を高めることができる。
【００１０】
第３の発明は、特に、第１または第２の発明において、仕切り板の上端は、容器内に収容する液体の満液位よりも低い位置に設けたことにより、給液口側で加熱された液体は上方に集められ、受液口側に移行することができる。
【００１１】
以下、本発明の実施の形態について、図面を参照しながら説明する。なお、この実施の形態によって本発明が限定されるものではない。
【００１２】
（実施の形態）
図１、図２は、本発明の実施の形態における電気湯沸かし器を示すものである。
【００１３】
図に示すように、液体２２を収容する容器２４は本体２１内に設けられており、ステンレス鋼板で有底円筒状に形成され、底面裏側には容器２４内の液体２２を加熱する加熱手段２５が固着されている。また、容器２４内の底部（底面に限定されるものではない）には、給液口２４ｃと、この給液口２４ｃと離れた位置に受液口２４ｂを設けている。さらに、容器２４内には、前記給液口２４ｃ側と受液口２４ｂ側とに分割する仕切り板２４ｄが設けてある。この仕切り板２４ｄは、給液口２４ｃ側に加熱手段２５が含まれるような位置に設けられている。そして、仕切り板２４ｄの上端は、容器２４内に収容する液体２２の満液位２４ａよりも低い位置に設けている。
【００１４】
加熱手段２５の定格消費電力は１０００Ｗで、保温時は７５Ｗである。導出路３１はポンプ３６を介して一方を容器２４の底部に設けた受液口２４ｂと連通させたものであり、ポンプ３６を動作させて吐出口３０から本体２１外へ液体（湯）を導出する経路となっている。
【００１５】
本体２１の前面（吐出口３０側）には、本体２１外部より導出路３１を臨むように本体２１が開口されており、その開口部に容器２４内の液量を表示する本体液位表示部２１ａを設けている。本体液位表示部２１ａは容器２４の中心線に対し吐出口３０を避けた位置で、本体２１に向かって右寄りの位置に設けている。本体液位表示部２１ａはＰＥＴフィルム樹脂で構成され、その表面には液位表示目盛り４４と透明窓が印刷されており、裏面に貼付けられた両面テープによって本体２１に接着され、本体２１の開口部を覆っている。
【００１６】
制御手段４１は機器の動作を制御するものであり、加熱手段２５とポンプ３６を制御している。
【００１７】
蓋体３８は容器２４の上方開口部を覆うものであり、蓋体３８の容器２４側には蒸気抜き穴３８ａを設け、蓋体３８には蒸気抜き穴３８ａと蒸気口３８ｂとを連通する蒸気通路３８ｃを突出させて設けている。また、蓋体３８は本体２１に対して回動自在で、容器２４の上方に着脱自在に取り付けられる。
【００１８】
貯液タンク２３は、機器の設置面積を小さくするため、本体２１の上方に着脱自在に載置される（併設ではない）ものであり、容器２４に液体２２を供給するために貯液している。本実施の形態において、蒸気通路３８ｂは、貯液タンク２３を貫くように立ち上げている。
【００１９】
貯液タンク２３は、タンク本体２３ｄと補給キャップ２３ｅとで構成され、タンク本体２３ｄはポリプロピレン樹脂でブロー成形され、補給キャップ２３ｅはポリプロピレン樹脂で射出成形されたものである。補給キャップ２３ｅはタンク本体２３ｄに対して取り外しが可能であり、取り付け時には結合部から液体２２が漏れないようにシリコーンゴムなどでシールをしている。補給キャップ２３ｅの天面２３ｂに設けた開口部２３ｃには、バネ３９で付勢され貯液タンク２３の着脱時に開口部２３ｃを開閉する止液弁４２が設けられている。この止液弁４２はシリコーンゴムなどの軟質製のゴムからなり、貯液タンク２３に液体２２を補給したいときなど、貯液タンク２３を外したときに開口部２３ｃから液体２２が大量にこぼれないようにしたものである。貯液タンク２３が本体２１に装着されている場合には、バネ３９により開口部２３ｃを閉塞すべく付勢されている止液弁４２が持ち上げられ、開口部２３ｃが開口するので、貯液タンク２３内に収容された液体２２が開口部２３ｃから出てくる仕組みである。
【００２０】
本体２１の上部に設けた給液受け皿４３は、貯液タンク２３が着脱自在に嵌合して設置されるものであり、貯液タンク２３を本体２１に装着したときに開口部２３ｃから流出した液体２２を受けるものである。給液受け皿４３の底面に設けた連通口４３ａには、バネ４０で付勢され貯液タンク２３の着脱時に連通口４３ａを開閉する給液弁３２が設けられている。この給液弁３２はシリコーンゴムなどの軟質製のゴムからなり、貯液タンク２３が本体２１に装着されている場合には、バネ４０により連通口４３ａを閉塞すべく付勢されている給液弁３２が押し下げられ、連通口４３ａが開口するので、給液受け皿４３の液体２２が連通口４３ａから導入される仕組みである。なお、本実施の形態において、止液弁４２と給液弁３２とが連動して開閉するように設けたが、それぞれの弁が独立して開閉するようにしてもよい。
【００２１】
給液路２７は、一方を容器２４の底部に設けた給液口２４ｃと連通し、他方を給液受け皿４３の底部に設けた連通口４３ａと連結させたものであり、給液時に容器２４に液体２２を導入する経路である。
【００２２】
また、貯液タンク２３が本体２１に装着されたときに補給キャップ２３ｅの天面２３ｂに設けた開口部２３ｃ（貯液タンク２３の最下端面）を容器２４内に収容する液体２２の満液位２４ａと同じ高さになるように設定している。
【００２３】
ここで、貯液タンク２３の前面（吐出口３０側）には、貯液タンク２３内の液量を表示するタンク液位表示部２３ａを設けている。タンク液位表示部２３ａは、本体液位表示部２１ａの上方に設け、本体液位表示部２１ａと同様に、容器２４の中心線に対し吐出口３０を避けた位置で、本体２１に向かって右寄りの位置に設けている。タンク液位表示部２３ａは、タンク本体２３ｄに液位表示目盛り４４が刻印成形されたものである。
【００２４】
以上のように構成された電気湯沸かし器について、以下その動作、作用を説明する。
【００２５】
まず、貯液タンク２３を本体２１から取り外す。そして反転させて補給キャップ２３ｅをタンク本体２３ｄから外して貯液タンク２３に液体２２を補給する。補給が完了すると、補給キャップ２３ｅをタンク本体２３ｄに取り付けて元の状態に戻し、貯液タンク２３を本体２１の上部に設けた給液受け皿４３に嵌合させて設置する。このようにして貯液タンク２３を本体２１に装着すると、バネ３９により開口部２３ｃを閉塞すべく付勢されている止液弁４２が持ち上げられるとともに、バネ４０により連通口４３ａを閉塞すべく付勢されている給液弁３２が止液弁４２と連動して押し下げられる。これにより、開口部２３ｃおよび連通口４３ａが開口するので、貯液タンク２３内に収容された液体２２が給液受け皿４３を介して給液路２７に導入され、貯液タンク２３に収容された液体２２の自重で容器２４に給液される。
【００２６】
ここで、貯液タンク２３はタンク本体２３ｄがポリプロピレン樹脂でブロー成形されたものであるため、貯液タンク２３の内部上方にある空気層は密閉状態となり、貯液タンク２３内への空気の進入を貯液タンク２３の開口部２３ｃのみに限定できる。貯液タンク２３からの給液中にその開口部２３ｃが液没すると、貯液タンク２３内への空気の進入が止まると同時に、給液も止まる。
【００２７】
容器２４内に給液された液体２２を底部に付設した加熱手段２５により所定温度まで加熱、保温する。また、容器２４内の液体（湯）を吐出したい場合には、ポンプ３６を動作させることによって導出路３１より本体２１外へ導出される。
【００２８】
なお、容器２４内で発生した蒸気は蒸気抜き穴３８ａから蓋体３８内部の蒸気通路３８ｃを通り蒸気口３８ｂから本体２１外に排出される。
【００２９】
以上のように、本実施の形態の電気湯沸かし器においては、容器２４内を給液口２４ｃ側と受液口２４ｂ側とに分割する仕切り板２４ｄを備えることにより、給液時の液体２２と吐出用の液体２２の混合をできる限り避けることができ液温の低下をなくし、同時に補給された液体の加熱が効果的に行なえるものである。
【００３０】
また、仕切り板２４ｄは、加熱手段２５が給液口２４ｃ側に含まれるよう容器２４内を分割したことにより、給液口２４ｃ側の液体を集中して効果的に加熱し液温を高めることができる。
【００３１】
さらに、仕切り板２４ｄの上端は、容器２４内に収容する液体２２の満液位２４ａよりも低い位置に設けたことにより、給液口２４ｃ側で加熱された液体は上方に集められ、受液口２４ｂ側に移行することができる。
【００３２】
なお、本実施の形態の電気湯沸かし器においては、貯液タンク２３は、機器の設置面積を小さくするため、本体２１の上方に着脱自在に載置されるものを示したが、貯液タンクを併設する形式のものであってもよい。
【産業上の利用可能性】
【００３３】
以上のように、本発明にかかる電気湯沸かし器は、容器内の液体を吐出する際に、貯液タンクから容器へ補給された液体が混合されず液温の低下がなく、同時に補給された液体は容器の給液口側で効果的に加熱できるので、貯液タンクを有する電気湯沸かし器全般に適用できる。
【図面の簡単な説明】
【００３４】
【図１】本発明の実施の形態における電気湯沸かし器の断面図
【図２】図１のＡ−Ａ線による部分断面図
【符号の説明】
【００３５】
２１  本体
２２  液体
２３  貯液タンク
２４  容器
２４ａ  満液位
２４ｂ  受液口
２４ｃ  給液口
２４ｄ  仕切り板
２５  加熱手段
２７  給液路
３１  導出路
【図１】
2007289554.tif 000003
【図２】
2007289554.tif 000004